(57)【要約】【課題】  原稿画像のページごとに送信先を指定する操作を簡便化するとともに、送信先の対応づけのミスを抑制できるファクシミリ装置を提供することを目的とする。【解決手段】  送信先指定画面生成部４３は、ユーザが選択した任意のページの原稿画像をＬＣＤ２６に縮小表示させる。送信先指定部４２は、ワンタッチダイヤルキー２８Ｃが操作されると、そのワンタッチダイヤルキー２８Ｃに対応する送信先情報を選択中のページに送信先として関連づける。このため、ページの内容を確認しながら、当該ページの送信先を指定することができる。また、全指定キー２８Ｄにより、送信先の指定操作を簡便化することができる。【選択図】  図４
2008017222.tif 000002
【特許請求の範囲】
【請求項１】
原稿の連続読み取りを行って２ページ以上の原稿画像を生成する自動原稿読取部と、
ユーザ操作に基づいて、上記原稿画像のページを選択するページ選択手段と、
選択されたページの原稿画像を表示する表示手段と、
ユーザ操作に基づいて、表示中のページに１又は２以上の送信先を関連づける送信先指定手段と、
同一の送信先に関連づけられた各ページの原稿画像を上記送信先ごとに順次にファクシミリ送信するファクシミリ送信手段とを備えたことを特徴とするファクシミリ装置。
【請求項２】
上記表示手段の表示面上にユーザ操作のためのタッチパネルを備え、
上記表示手段は、上記原稿画像の各ページに対応するページシンボルを表示し、
上記タッチパネルに対して上記ページシンボルの選択操作が行われた場合に、上記ページ選択手段が、選択された上記ページシンボルに対応するページを選択し、上記表示手段が、選択されたページの原稿画像を縮小表示することを特徴とする請求項１に記載のファクシミリ装置。
【請求項３】
送信先の全指定を行うための全指定キーを備え、
上記送信先指定手段は、上記全指定キーが操作された場合に、上記ページ選択手段により選択されているページに対し、他のページの送信先の全てを関連づけることを特徴とする請求項１に記載のファクシミリ装置。
【請求項４】
上記送信先指定手段は、送信先が関連づけられていないページに対し、他のページの送信先の全てを関連づけることを特徴とする請求項１に記載のファクシミリ装置。
【請求項５】
送信先の全指定を行うための全指定キーを備え、
上記送信先指定手段は、上記全指定キーが操作された場合に、送信先が関連づけられていない全てのページに対し、他のページに関連づけられている送信先の全てをそれぞれ関連づけることを特徴とする請求項４に記載のファクシミリ装置。
【発明の詳細な説明】
【技術分野】
【０００１】
本発明は、ファクシミリ装置に係り、さらに詳しくは、複数ページの原稿画像を読み取って、複数の送信先にファクシミリ送信する際、送信先ごとにページを指定してファクシミリ送信するファクシミリ装置に関する。
【背景技術】
【０００２】
１つの送信先に対し、複数ページの原稿画像をファクシミリ送信する場合、送信先を指定して、各ページの紙原稿を順にファクシミリ装置に読み取らせる必要がある。また、複数の送信先へファクシミリ送信する場合であれば、送信先を順に指定し、１つの送信先を指定するごとに当該送信先に送信しようとする全てのページの紙原稿を読み取らせる必要がある。したがって、この様なファクシミリ装置では、異なる送信先へファクシミリ送信される原稿画像に同一のページが含まれていたとしても、このような重複ページの原稿読み取りは各送信先ごとに行わなければならず、同じ紙原稿を繰り返し読み取る必要があった。
【０００３】
例えば、送信先ごとに異なる送付状ページに、各送信先に共通する１又は２以上の共通ページを加えた複数ページからなる原稿画像を複数の送信先へ送信したい場合がある。このような場合、共通ページは全く同じであるにもかかわらず、各送信先を指定するたびに、送付状ページだけでなく共通ページについても紙原稿からの読み取りを行わなければならなかった。
【０００４】
このような問題に対処するため、複数ページの原稿画像を読み取って、各送信先ごとに上記原稿画像のページ番号を指定し、各送信先に原稿画像のページを対応づける技術が提案されている（例えば、特許文献１）。このような技術を用いれば、異なる送信先に共通する共通ページについて、同じ紙原稿を繰り返し読み取る必要がなく、紙原稿の読み取り時間を短縮させることができる。
【０００５】
また、特許文献１に開示されている技術では、読み取った紙原稿のページ数を検出することにより、原稿読取時に重送などのミスフィードが発生したかどうかを判断している。この判別結果を利用することにより、ミスフィードによって原稿画像のページ番号がずれ、各送信先に対してユーザが意図していたページとは異なるページの原稿画像が送信される誤送を防止している。
【特許文献１】特開平９−２３３２５号公報
【発明の開示】
【発明が解決しようとする課題】
【０００６】
しかしながら、特許文献１に開示されている技術では、原稿読取時のミスフィードに起因する誤送を防止できるだけで、その他の要因によって生じる誤送を防止することはできない。例えば、ユーザが紙原稿を原稿台にセットする際、そのページ順序を間違えてセットしてしまった場合や、ページ番号を指定する際に間違ったページ番号を指定してしまう場合などが考えられる。特許文献１のファクシミリ装置では、このようなケアレスミスによる誤送の発生を防止することはできない。しかしながら、このような誤送は、秘密情報の漏洩など、時として重大な問題を引き起こす可能性があった。
【０００７】
本発明は、上記の事情に鑑みてなされたものであり、複数ページの紙原稿を読み取って、複数の送信先に対し、送信先ごとにページを指定してファクシミリ送信する場合に、各送信先に対し、ユーザが意図していたページとは異なるページの原稿画像が送信されるのを防止できるファクシミリ装置を提供することを目的とする。また、本発明は、各ページに送信先を指定する操作が容易なファクシミリ装置を提供することを目的とする。
【課題を解決するための手段】
【０００８】
第１の本発明によるファクシミリ装置は、原稿の連続読み取りを行って２ページ以上の原稿画像を生成する自動原稿読取部と、ユーザ操作に基づいて、上記原稿画像のページを選択するページ選択手段と、選択されたページの原稿画像を表示する表示手段と、ユーザ操作に基づいて、表示中のページに１又は２以上の送信先を関連づける送信先指定手段と、同一の送信先に関連づけられたページの原稿画像を上記送信先ごとに順次にファクシミリ送信するファクシミリ送信手段とを備えて構成される。
【０００９】
このような構成によれば、紙原稿の連続読み取りによって得られた２ページ以上の原稿画像のうち、ユーザが選択したページが表示され、表示中のページに対して送信先を関連づけることができる。したがって、ユーザは、原稿画像のページごとに、その内容を確認しながら送信先を指定することができるので、各送信先に対し、ユーザの意図とは異なるページの原稿画像が送信されるのを防止できる。
【００１０】
第２の本発明によるファクシミリ装置は、上記構成に加えて、上記表示手段の表示面上にユーザ操作のためのタッチパネルを備え、上記表示手段が、上記原稿画像の各ページに対応するページシンボルを表示し、上記タッチパネルに対して上記ページシンボルの選択操作が行われた場合に、上記ページ選択手段が、選択された上記ページシンボルに対応するページを選択し、上記表示手段が、選択されたページの原稿画像を縮小表示するように構成される。
【００１１】
このような構成によれば、原稿画像の各ページに対応するページシンボルが表示され、ユーザは、タッチパネルを操作して当該ページシンボルを選択すれば、選択されたページの原稿画像が縮小表示される。このため、ユーザは、理解しやすい簡便な操作でページを選択することができ、選択されたページの縮小表示を見ながら、その送信先を指定することができる。
【００１２】
第３の本発明によるファクシミリ装置は、上記構成に加えて、送信先の全指定を行うための全指定キーを備え、上記送信先指定手段が、上記全指定キーが操作された場合に、上記ページ選択手段により選択されているページに対し、他のページの送信先の全てを関連づけるように構成される。
【００１３】
このような構成によれば、ユーザが、ページを選択して全指定キーを操作すれば、そのページに対し、送信先の全てを自動的に関連づけることができる。したがって、全ての送信先に共通のページについては、当該ページを選択して全指定キーを操作するだけでよく、ユーザ操作が簡略化され、ユーザによる操作ミスも抑制することができる。特に、送信先の数が多い場合における操作性を著しく向上させることができる。なお、送信先の全てとは、全指定キーが操作された時点において、他のページに既に関連づけられた送信先の全てであってもよいし、ファックス送信時点において、他のページに関連づけられている送信先の全てであってもよい。
【００１４】
第４の本発明によるファクシミリ装置は、上記構成に加えて、上記送信先指定手段が、送信先が関連づけられていないページに対し、他のページの送信先の全てを関連づけるように構成される。
【００１５】
このような構成によれば、送信先が関連づけられていないページに対し、送信先の全てを自動的に関連づけることができる。したがって、全ての送信先に共通のページについては、送信先を指定する必要がなく、ユーザ操作が簡略化され、ユーザによる操作ミスも抑制することができる。なお、送信先が自動的に関連づけられるページは、送信先が関連づけられていない全てのページであってもよいし、他の条件によって更に絞り込まれた一部のページであってもよい。また、送信先の全てとは、全指定キーが操作された時点において、他のページに既に関連づけられた送信先の全てであってもよいし、ファックス送信時点において、他のページに関連づけられている送信先の全てであってもよい。
【００１６】
第５の本発明によるファクシミリ装置は、送信先の全指定を行うための全指定キーを備え、上記送信先指定手段が、上記全指定キーが操作された場合に、送信先が関連づけられていない全てのページの送信先に対し、他のページに関連づけられている送信先の全てをそれぞれ関連づけるように構成される。
【００１７】
このような構成によれば、全指定キーを操作することにより、送信先が関連づけられていない全てのページに対し、他のページに関連づけられる送信先の全てを自動的に関連づけることができる。したがって、全ての送信先に共通のページについては、送信先を指定する必要がなく、ユーザ操作が簡略化され、ユーザによる操作ミスも抑制することができる。特に、共通ページが多い場合における操作性を著しく向上させることができる。
【発明の効果】
【００１８】
本発明によれば、選択しているページの原稿画像を確認しつつ、そのページの送信先を指定することができるので、各送信先に対し、ユーザが意図していたページとは異なるページの原稿画像が送信されるのを防止できる。また、全ての送信先に共通のページについては、各送信先を順次に関連づけていく必要がなく、簡潔なユーザ操作によって送信先の指定を行うことができる。
【発明を実施するための最良の形態】
【００１９】
実施の形態１．
図１は、本発明の実施の形態１によるファクシミリ装置１の一構成例を示したブロック図である。このファクシミリ装置１は、ＭＰＵ(Micro Processing Unit)２と、このＭＰＵ２にバス３を介して接続されたＲＡＭ(Random Access Memory)４、ＮＣＵ(Network Control Unit)５、モデム６、コーデック７、画像信号処理回路８、読取機構制御回路９、メモリコントローラ１０、メモリコントローラ１１、プリント画像処理回路１２、プリンタ機構制御回路１３、操作パネル制御回路１４及びＬＡＮ(Local Area Network)インターフェース１５とを備えている。
【００２０】
画像信号処理回路８は、ＣＣＤ(Charge Coupled Device)１７Ａの出力信号に基づいて画像データを生成する回路であり、生成された画像データは、送信画像データとしてコーデック７へ出力される。ＣＣＤ１７Ａは、原稿に向けて照射された光の反射光を受光し、その受光量に応じた電気信号を出力することにより、原稿画像を光学的に読み取る。画像信号処理回路８は、この電気信号に基づいて、ピクセルごとの輝度情報又は色情報で構成されるビットマップデータとして画像データを生成する。
【００２１】
読取機構制御回路９は、原稿センサ１７Ｂ及びモータ１７Ｃからなる読取機構の動作を制御している。この読取機構は、原稿台にセットされた複数ページの紙原稿を１ページずつ送り出し、ＣＣＤ１７Ａに原稿画像を読み取らせる。原稿センサ１７Ｂは、原稿台に紙原稿があるかどうかを検出し、モータ１７Ｃは、紙原稿を１ページずつ送り出すための送出ローラを回転駆動させる。つまり、ＣＣＤ１７Ａ、原稿センサ１７Ｂ及びモータ１７Ｃは、複数枚からなる紙原稿の連続読み取りを行って、複数ページの原稿画像を自動的に生成することができる自動原稿読取部を構成している。
【００２２】
コーデック７は、ランレングス法やハフマン符号化法などを用いて、画像データを圧縮又は伸張する処理を行う。画像信号処理回路８からコーデック７に入力された送信画像データは、当該コーデック７により原稿１ページ分ごとに圧縮処理が行われ、メモリコントローラ１０を介してＳＤＲＡＭ(Synchronous Dynamic Random Access Memory)からなる画像メモリ１８に格納される。
【００２３】
ＮＣＵ５は、電話回線などの公衆通信回線（不図示）への接続制御を行っている。当該ファクシミリ装置１がファクシミリ送信を行う場合、ＮＣＵ５が、公衆通信回線へ発呼信号を送出し、更に送信先の電話番号を含む選択信号を送出することによって発呼が行われ、相手方のファクシミリ装置との接続状態が確立される。この接続状態は、ファクシミリ送信の終了後にＮＣＵ５によって切断される。一方、ファクシミリ受信を行う場合には、公衆通信回線からの呼出信号に応じて、ＮＣＵ５が回線を接続することにより、相手方のファクシミリ装置との接続状態が確立される。
【００２４】
画像メモリ１８に格納された送信画像は、ファクシミリ送信時にメモリコントローラ１０により読み出される。読み出された送信画像は、モデム６により音声信号に変調され、ＮＣＵ５から公衆通信回線を介して相手方のファクシミリ装置へ送信される。つまり、ＮＣＵ５及びモデム６は、ユーザの送信操作に基づいて送信画像をファクシミリ送信するファクシミリ送信手段である。
【００２５】
一方、ファクシミリ受信時には、相手方のファクシミリ装置から送出された音声信号を公衆通信回線を介してＮＣＵ５が受信する。ＮＣＵ５で受信された音声信号は、モデム６によって復調され、受信画像として画像メモリ１８に格納される。
【００２６】
画像メモリ１８に格納された受信画像は、メモリコントローラ１０により１ページ分の画像データごとに読み出される。これらの画像データは、コーデック７で伸張され、メモリコントローラ１１を介してページメモリ１９に格納される。ページメモリ１９は、ＳＤＲＡＭからなり、ページごとのビットマップデータに展開された受信画像を保持している。
【００２７】
メモリコントローラ１１によってページメモリ１９から読み出された受信画像は、１ページごとにプリント画像処理回路１２へ出力される。プリント画像処理回路１２は、入力された各ページの受信画像を複数ラインのラインデータに分割し、１ラインごとにＬＥＤ(Light Emitting Diode)プリントヘッド２０へ出力する。ＬＥＤプリントヘッド２０は、多数のＬＥＤをライン状に配列したＬＥＤアレイを備えており、受信画像に基づく光を１ラインごとに照射する。
【００２８】
プリンタ機構制御回路１３は、感光体ドラム２１、帯電器２２、現像装置２３、転写装置２４及び定着装置２５などからなるプリンタ機構の動作を制御する。感光体ドラム２１は、表面に感光体層が形成された円筒状のドラムからなり、印刷時には、感光体ドラム２１の表面が帯電器２２により一様に帯電される。この帯電された感光体ドラム２１の表面に、受信画像に基づく光がＬＥＤプリントヘッド２０から照射されることにより、感光体ドラム２１の表面に静電潜像が形成される。
【００２９】
現像装置２３は、静電潜像が形成された感光体ドラム２１の表面にトナーを付着させることにより、当該表面にトナー像を形成させる。感光体ドラム２１の表面に形成されたトナー像は、転写装置２４により、用紙収容部（不図示）から送り出された用紙に転写される。このようにしてトナー像が転写された用紙に対して、定着装置２５により加熱処理及び加圧処理が施されることにより、受信画像に基づく画像が用紙上に形成される。
【００３０】
操作パネル制御回路１４は、ＬＣＤ(Liquid Crystal Display)２６、タッチパネル２７及び操作キー２８などを備えた操作パネルの動作を制御する。操作キー２８には、ファクシミリ送信を開始させるためのスタートキー２８Ａや、送信先の電話番号などの数字を入力するためのテンキー２８Ｂや、電話番号が予め対応づけられ、送信先をワンタッチで指定可能な複数のワンタッチダイヤルキー２８Ｃが含まれる。
【００３１】
タッチパネル２７は、ＬＤＣ２６の表示面に対向させて、ＬＣＤ２６の表示面上に取り付けられており、このタッチパネル２７にユーザの指が触れると、その接触位置が検出される。このため、タッチパネル２７を用いてボタン操作や手書き入力操作を行うことができる。このタッチパネル２７は、静電式のものであってもよいし、抵抗式のものであってもよい。抵抗式のタッチパネル２７を採用した場合には、ユーザは、ペンなどの入力装置をタッチパネル２７上に接触させることにより、操作を行うことができる。
【００３２】
ＬＡＮインターフェース１５は、ＬＡＮ（不図示）に対する信号の入出力を制御している。このファクシミリ装置１は、ＣＣＤ１７Ａで読み取った原稿の画像データをＬＡＮを介して他の端末装置へ送信することができる。また、他の端末装置からＬＡＮを介して受信した画像データをプリンタ機構により紙媒体に印刷することができる。つまり、ファクシミリ装置１は、ネットワーク接続されたスキャナ装置やプリンタ装置として機能させることもできる。
【００３３】
ＲＡＭ４は、ワンタッチダイヤルリスト記憶部４Ａ、ジョブテーブル記憶部４Ｂ及びカウンタ４Ｃとして使用される。ワンタッチダイヤルリスト記憶部４Ａは、電話番号及び宛先名をワンタッチダイヤルキー２８Ｃに対応づけて記憶しており、ファクシミリ送信時にユーザがワンタッチダイヤルキー２８Ｃを操作すれば、送信先情報として、当該ワンタッチダイヤルキー２８Ｃに対応する電話番号及び宛先名がワンタッチダイヤルリスト記憶部４Ａから読み出される。
【００３４】
ジョブテーブル記憶部４Ｂは、送信先情報と原稿画像のページ番号とを対応づけたジョブテーブル４Ｔを記憶している。このジョブテーブル４Ｔは、２以上の各送信先に対し、当該送信先へファクシミリ送信される送信画像のページ番号を関連づけて保持しており、送信先ごとに１又は２以上のページ番号が関連づけられている。このジョブテーブル４Ｔに基づいてファクシミリ送信を行えば、送信先ごとに、当該送信先へ送信すべきページだけを送信することができる。
【００３５】
図２は、原稿画像の連続読み取り処理の一例を示したフローチャートである。ユーザが、２ページ以上の紙原稿を原稿台にセットしてスタートキー２８Ａを操作すると、カウンタ４Ｃに初期値「１」がセットされる（ステップＳ１０１）。次に、モータ１７Ｃが駆動され、１ページ目の紙原稿が送り出されて、ＣＣＤ１７Ａにより原稿画像が読み取られる（ステップＳ１０２）。読み取られた１ページ分の画像データは、コーデック７により圧縮され（ステップＳ１０３）、画像メモリ１８に格納される（ステップＳ１０４）。このとき、カウンタ４Ｃの値もページ番号として当該画像データに関連づけて画像メモリ１８に格納される（ステップＳ１０５）。
【００３６】
次に、原稿センサ１７Ｂが、原稿台に２ページ目の原稿がセットされていることを検出すれば（ステップＳ１０６でＹｅｓ）、カウンタ４Ｃの値がカウントアップ（＋１）される（ステップＳ１０７）。その後は、１ページ目の場合と同様にして、次の紙原稿が送り出され、ＣＣＤ１７Ａによって読み取られる（ステップＳ１０２）。このようにして、原稿台にセットされている紙原稿が１ページずつ読み取られ、全ての紙原稿を読み取れば当該連続読み取り処理は終了する。このとき、画像メモリ１８には、連続読み取りされた原稿画像が、ページごとの画像データとして保持されている。
【００３７】
図３は、送信先指定画面の一例を示した図である。この送信先指定画面は、原稿画像のページごとに送信先を指定する際、ＬＣＤ２６に表示される画面表示であり、縮小画像表示領域２６Ａ、ページ表示領域２６Ｂ及び送信先表示領域２６Ｃからなる。
【００３８】
ページ表示領域２６Ｂは、複数のページシンボル２６Ｓが表示される表示エリアである。ページシンボル２６Ｓは、原稿画像の各ページに対応づけられたアイコン画像であり、ここでは、ページ番号を数値で示す画像が用いられている。ユーザは、タッチパネル２７を操作してページシンボル２６Ｓを選択することによって、原稿画像の任意のページを選択することができる。
【００３９】
縮小画像表示領域２６Ａは、ユーザが選択したページの原稿画像が表示される表示エリアである。一般に、ＬＣＤ２６の表示面は原稿画像に比べて狭く、選択ページの一部しか表示することができない。したがって、原稿画像を縮小表示させて、より広い領域を表示することが望ましい。ここでは、ページ全体を縮小画像表示領域２６Ａ内に表示させている。
【００４０】
送信先表示領域２６Ｃは、原稿画像のページごとに、当該ページに関連づけられた送信先情報が表示される表示エリアである。ここでは、送信先情報として宛先名が表示されている。この宛先名は、ワンタッチダイヤルリスト４Ｌにおいて電話番号に対応づけられている文字列である。なお、２以上の送信先が関連づけられているページについては、それぞれの送信先情報が表示される。また、送信先表示領域２６Ｃに表示される送信先情報は、宛先名に代えて電話番号とすることもできる。
【００４１】
図４は、送信先分類指定部４０の一構成例を示した機能ブロック図である。送信先分類指定部４０は、本発明の実施の形態１によるファクシミリ装置１の要部であり、図１のＭＰＵ２により実行されるコンピュータプログラムとして実現される。また、この送信先分類指定部４０は、ページ選択部４１、送信先指定部４２、送信先指定画面生成部４３及びジョブテーブル生成部４４によって構成され、ユーザ操作に基づいて原稿画像の各ページに送信先を関連づけた後に、送信先ごとにページ番号を対応づけたジョブデーブル４Ｔを生成する。
【００４２】
ページ選択部４１は、ユーザによるタッチパネル２７の操作に基づいて、原稿画像のページを選択する。ユーザが、いずれかのページシンボル２６Ｓに相当するタッチパネル２７上の位置に触れた場合、ページ選択部４１が、当該ページシンボル２６Ｓに対応するページ番号を判別する。判別されたページ番号は、送信先指定部４２及び送信先指定画面生成部４３へ出力される。
【００４３】
送信先指定部４２は、原稿画像の各ページに対し、ユーザが指定した送信先を関連づけている。ユーザがワンタッチダイヤルキー２８Ｃを操作した場合、送信先指定部４２は、当該ワンタッチダイヤルキー２８Ｃに対応する電話番号及び宛先名をワンタッチダイヤルリスト４Ｌから読み出す。そして、ページ選択部４１によって選択されているページに対し、その送信先情報として電話番号及び宛先名を関連づける。なお、同一のページが選択されている状態で、異なる２以上のワンタッチダイヤルキー２８Ｃが操作された場合には、当該ページに２以上の送信先情報が関連づけられる。
【００４４】
送信先指定画面生成部４３は、ＬＣＤ２６に表示される送信先指定画面を生成している。すなわち、原稿画像の各ページに対応するページシンボル２６Ｓをページ表示領域２６Ｂに配置させている。また、ページ選択部４１によって選択されたページの原稿画像を画像メモリ１８から読み出し、縮小画像表示領域２６Ａに縮小表示させている。さらに、送信先指定部４２によって各ページに関連づけられた送信先情報を送信先表示領域２６Ｃに表示させている。
【００４５】
ジョブテーブル生成部４４は、ユーザによるスタートキー２８Ａの操作に基づいて、ジョブテーブル４Ｔを生成し、ジョブテーブル記憶部４Ｂに格納する。ジョブテーブル４Ｔは、各送信先に対し、当該送信先へ送信される原稿画像のページ番号を対応づけたデータテーブルである。送信先指定部４２では、原稿画像の各ページに送信先情報が関連づけられている。つまり、ページ分類情報が生成されている。ジョブテーブル生成部４４は、このページ分類情報を送信先情報によってソートし、送信先分類情報としてのジョブテーブル４Ｔを生成している。
【００４６】
図５は、ジョブテーブル４Ｔの一例を示した図である。このジョブテーブル４Ｔは、送信先情報としての電話番号及び宛先名に対し、当該送信先に送信される１又は２以上のページ番号が対応づけられている。
【００４７】
図６及び図７は、図４の送信先分類指定部４０の動作の一例を示したフローチャートである。全ての紙原稿の読み取りが終了すると、まず、送信先指定画面がＬＣＤ２６に表示され、縮小画像表示領域２６Ａには原稿画像の１ページ目が表示される（ステップＳ２０１）。その後、ユーザがタッチパネル２７を操作し、ページ表示領域２６Ｂのいずれかのページシンボル２６Ｓが選択されると（ステップＳ２０２でＹｅｓ）、選択されたページの原稿画像が縮小画像表示領域２６Ａに表示される（ステップＳ２０３）。
【００４８】
このようにして、ユーザが選択したページを表示させている状態で、ワンタッチダイヤルキー２８Ｃが操作されると、選択ページに送信先情報が関連づけられる（ステップＳ２０４，Ｓ２０５）。すなわち、操作されたワンタッチダイヤルキー２８Ｃに対応する電話番号及び宛先名がワンタッチダイヤルリスト記憶部４Ａから読み出され、これらの送信先情報が、選択されているページに関連づけられる。
【００４９】
上記ステップＳ２０２〜Ｓ２０５は、スタートキー２８Ａが操作されるまで繰り返される（ステップＳ２０６）。したがって、ユーザは、各ページを順に選択し、送信先をそれぞれ指定していくことができる。また、同じページに対し、２以上の送信先を指定することもできる。
【００５０】
その後、スタートキー２８Ａが操作されると、原稿画像の全てのページに対し、送信先が関連づけられているかどうかが判定される（ステップＳ２０７）。その結果、全てのページに送信先が関連づけられていれば、送信先ごとにページ番号を関連づけたジョブテーブル４Ｔが生成される（ステップＳ２０８）。そして、このジョブテーブル４Ｔに基づいて、各送信先ごとに、当該送信先が関連づけられた各ページの原稿画像が順次にファクシミリ送信される（ステップＳ２０９）。
【００５１】
一方、送信先が関連づけられていないページがある場合には、当該ページに対する送信先の指定をユーザに促す。すなわち、当該ページが縮小画像表示領域２６Ａに表示され（ステップＳ３０１）、そのページの送信先を指定すべき旨の確認画面がＬＣＤ２６に表示される（ステップＳ３０２）。その後に、ワンタッチダイヤルキー２８Ｃが操作されれば、操作されたワンタッチダイヤルキー２８Ｃに対応する電話番号及び宛先名がワンタッチダイヤルリスト記憶部４Ａから読み出され、送信先情報として当該ページに関連づけられる（ステップＳ３０３，Ｓ３０４）。上記ステップＳ３０３及びＳ３０４は、スタートキー２８Ａが操作されるまで繰り返され、送信先が関連づけられていなかったページに対し、１又は２以上の送信先が指定される（ステップＳ３０５）。
【００５２】
その後、スタートキー２８Ａが操作されると、ステップＳ２０７に戻り、全てのページに送信先が指定されているかどうかが再び判定される（ステップＳ３０５）。その結果、まだ送信先が関連づけられていないページがあれば、ステップＳ３０１〜Ｓ３０５の処理が再度行われる。このようにして、原稿画像の全てのページに対して送信先が指定されなければ、ファクシミリ送信を開始することができず、原稿画像の一部のページを送信し忘れるのを防止している。
【００５３】
本実施の形態によれば、複数ページの紙原稿を読み取らせた後、原稿画像のページを選択してＬＣＤ２６の表示画面に表示させ、選択しているページごとに送信先を指定することができる。したがって、選択中のページの内容を表示画面で確認した上で、そのページの送信先を指定することができるので、各送信先に対し、ユーザが意図したページとは異なるページの原稿画像が送信される誤送を防止できる。
【００５４】
また、複数ページの紙原稿を読み取らせた後、原稿画像のページを選択してＬＣＤ２６の表示画面に表示させ、選択しているページごとにワンタッチダイヤルキー２８Ｃを操作して送信先を指定することができる。したがって、電話番号をテンキー２８Ｂで直接入力して送信先を指定するような構成に比べ、送信先を指定する操作が容易である。
【００５５】
さらに、ＬＣＤ２６の表示画面に、原稿画像の各ページに対応するページシンボルを表示し、ユーザが、ページシンボルを選択するタッチパネル操作を行えば、ユーザが選択したページの縮小画像が表示される。このため、簡単な操作によって、任意のページの内容を確認しつつ、当該ページの送信先を指定することができ、誤送を防止することができる。
【００５６】
実施の形態２．
実施の形態１では、送信先が関連づけられていないページがあることを判別し、当該ページに送信先を関連づけるようにユーザに促す構成例について説明した。これに対し、実施の形態２では、送信先が関連づけられていないページに対し、送信先を自動的に関連づける構成例について説明する。
【００５７】
図８は、本発明の実施の形態２による送信先分類指定部４０の動作の一例を示したフローチャートである。このフローチャートは、ステップＳ４０７及びＳ４０８を除き、図６のフローチャートと同様であり、重複する説明は省略する。
【００５８】
ステップＳ４０７において、全てのページに送信先が関連づけられていれば、ジョブテーブル４Ｔが生成される（ステップＳ４０９）。一方、送信先が関連づけられていないページがあった場合には、当該ページに対し、他のページに既に関連づけられている送信先の全てが関連づけられる（ステップＳ４０８）。このとき、送信先が関連づけられていないページが２以上あれば、各ページに対して上記の関連づけが行われ、全てのページに送信先が関連づけられた状態となる。このため、その後は、ジョブテーブル４Ｔが生成され（ステップＳ４０９）、送信先ごとに順次にファクシミリ送信される（ステップＳ４１０）。
【００５９】
送信先の全てを関連づけるステップＳ４０８の処理は、送信先指定部４２によって自動的に行われる。つまり、送信先が関連づけられていないページについては、各送信先に共通のページであると判断し、送信先の全てが関連づけられる。このため、共通ページについて、当該ページを順次に選択し、ページごとに送信先を指定する操作を行う必要がないので、送信先を指定する操作が容易である。特に、送信先の数が多い場合や、共通ページの数が多い場合に、操作性を著しく向上させることができる。
【００６０】
なお、実施の形態では、スタートキー２８Ａの操作時に、送信先が関連づけられていない全てのページに対し、自動的に送信先の関連付け処理を行う例について説明したが、本発明は、この様な場合に限定されない。すなわち、他の条件によって更に絞り込まれたページのみに対して、上記関連付け処理を行うこともできる。例えば、共通ページであることが予め指定されているような場合であれば、共通ページのみに対して上記関連付け処理を行ってもよい。
【００６１】
実施の形態３．
実施の形態１では、原稿画像の各ページに送信先を関連づけるために、ユーザがワンタッチダイヤルキー２８Ｃを使用する構成例について説明した。これに対し、本実施の形態では、ワンタッチダイヤルキー２８Ｃだけでなく、複数の送信先を一度に指定するための全指定キー２８Ｄを使用可能な構成例について説明する。
【００６２】
図９は、本発明の実施の形態３によるファクシミリ装置１の一構成例を示したブロック図である。このファクシミリ装置１は、操作キー２８に全指定キー２８Ｄが含まれる点を除き、図１に示したファクシミリ装置（実施の形態１）の場合と同様である。
【００６３】
全指定キー２８Ｄは、ユーザが全指定を行うための操作キーである。全指定とは、あるページの送信先として、他のページの送信先の全てを指定することを意味する。このため、全ての送信先へ送信される共通ページに対し、この全指定を行うことによって、当該ページについては送信先を順次に指定する操作が必要なくなり、送信先の指定操作を簡略化することができる。
【００６４】
図１０は、送信先分類指定部４０の一構成例を示した機能ブロック図である。図４の送信先分類指定部（実施の形態１）と比較すれば、送信先指定部４２に対し、ワンタッチダイヤルキー２８Ｃの操作信号に加えて、全指定キー２８Ｄの操作信号も入力されている点で異なっている。
【００６５】
送信先指定部４２は、ワンタッチダイヤルキー２８Ｃが操作された場合、実施の形態１の場合と同様、ワンタッチダイヤルリスト４Ｌから送信先情報を読み出して、選択ページに関連づける。一方、全指定キー２８Ｄが操作された場合には、選択ページに対し、他のページに既に関連づけられている送信先の全てを関連づける。
【００６６】
図１１及び図１２は、送信先分類指定部４０の動作の一例を示したフローチャートである。このフローチャートは、ステップＳ５０６、Ｓ５０７、Ｓ６０５及びＳ６０６を除き、図６及び図７のフローチャートと同様であり、重複する説明は省略する。
【００６７】
いずれかのページが選択されている状態において、全指定キー２８Ｄが操作されると、選択ページに対し、他のページに既に関連づけられている送信先の全てが関連づけられる（ステップＳ５０６，Ｓ５０７）。つまり、全指定キー２８Ｄが操作された時点において、他のページに関連づけられていた送信先情報の全てが、選択ページに関連づけられる。
【００６８】
また、スタートキー２８Ａが操作された際、送信先が関連づけられていないページがあった場合、当該ページが選択された状態となり、全指定キー２８Ｄを操作することができる（ステップＳ６０５）。このとき、全指定キー２８Ｄが操作されれば、選択ページに対し、他のページに既に関連づけられている送信先の全てを関連づけることができる（ステップＳ６０６）。
【００６９】
本実施の形態によれば、いずれかのページを選択して全指定キー２８Ｄを操作することにより、当該選択ページに対し、他のページに既に関連づけられている送信先を関連づけることができる。したがって、全ての送信先に共通のページについて、送信先を順次に指定する操作を行う必要がないので、送信先を指定するユーザ操作を簡略化することができる。特に、送信先の数が多い場合に、操作性を著しく向上させることができる。
【００７０】
実施の形態４．
実施の形態３では、全指定キーが操作された場合に、その時点において、他のページに関連づけられている送信先を選択ページに関連づける構成例について説明した。これに対し、本実施の形態では、ファクシミリ送信時点おいて、他のページに関連づけられている送信先を選択ページに関連づける構成例について説明する。
【００７１】
全指定キー２８Ｄが操作された場合に、送信先指定部４２は、選択ページに対して、送信先情報ではなく、全指定フラグを関連づける。そして、スタートキー２８Ａの操作後であって、ジョブテーブル４Ｔの生成前に、送信先指定部４２が、この全指定フラグを他のページに関連づけられている送信先の全てに置き換える。この様な構成により、全指定されたページに対し、全指定キー２８Ｄの操作時ではなく、ファクシミリ送信時における送信先の全てを関連づけることができる。
【００７２】
なお、同様にして、送信先指定部４２が選択ページに全指定フラグを関連づけていれば、ジョブテーブル生成部４４が、ジョブテーブル４Ｔを生成する際に、全ての送信先に対し、全指定フラグが関連づけられたページを対応づけても同じ結果を得ることができる。
【００７３】
実施の形態５．
実施の形態３及び４では、ページを選択して全指定キー２８Ｄを操作した場合に、選択ページに対し、他のページの送信先が関連づけられる構成例について説明した。これに対し、実施の形態４では、当該選択ページ以降の全てのページに対し、当該選択ページよりも前のページの送信先が関連づけられる構成例について説明する。
【００７４】
全指定キー２８Ｄが操作された場合に、送信先指定部４２は、そのとき選択されているページ以降の各ページに対し、当該選択ページよりも前のページの送信先の全てが関連づけられる。したがって、全ての送信先に共通のページを最後尾に配置させていれば、送信先を指定するユーザ操作を簡略化することができる。例えば、送信原稿を読み取る際、各送信先ごとの送付状ページを先に読み取り、その後に、各送信先に共通のページを読み取った場合に好適である。
【００７５】
なお、選択ページ以降の全てのページに関連づけられる送信先は、全指定キー２８Ｄの操作時において、当該選択ページよりも前のページに既に関連づけられている送信先の全てであってもよいが、本発明は、この様な場合には限定されない。例えば、全指定キー２８Ｄの操作時には、選択ページ以降の全てのページに全指定フラグを関連づけておき、その後は、実施の形態４と同様にして、ファクシミリ送信時における他のページの送信先の全てを関連づけてもよい。
【００７６】
なお、上記の各実施の形態では、タッチパネル２７を有するファクシミリ装置の例について説明したが、本発明は、この様な場合には限定されない。すなわち、タッチパネル２７を有しないファクシミリ装置にも本発明を適用することができる。この場合、ページ選択には、操作キーなどを用いればよい。
【図面の簡単な説明】
【００７７】
【図１】本発明の実施の形態１によるファクシミリ装置の一例を示したブロック図である。
【図２】原稿画像の連続読み取り処理の一例を示したフローチャートである。
【図３】送信先指定画面の一例を示した図である。
【図４】送信先分類指定部４０の一構成例を示した機能ブロック図である。
【図５】ジョブテーブル４Ｔの一例を示した図である。
【図６】図４の送信先分類指定部４０の動作の一例を示したフローチャートである。
【図７】図４の送信先分類指定部４０の動作の一例を示したフローチャートであり、図６の続きが示されている。
【図８】本発明の実施の形態２による送信先分類指定部４０の動作の一例を示したフローチャートであり、図６の続きが示されている。
【図９】本発明の実施の形態３によるファクシミリ装置の一構成例を示したブロック図である。
【図１０】送信先分類指定部４０の一構成例を示した機能ブロック図である。
【図１１】送信先分類指定部４０の動作の一例を示したフローチャートである。
【図１２】送信先分類指定部４０の動作の一例を示したフローチャートであり、図１１の続きが示されている。
【符号の説明】
【００７８】
１  ファクシミリ装置
２  ＭＰＵ
４Ｃ  カウンタ
４Ｌ  ワンタッチダイヤルリスト
４Ｔ  ジョブテーブル
１８  画像メモリ
２６  ＬＣＤ
２６Ａ  縮小画像表示領域
２６Ｂ  ページ表示領域
２６Ｃ  送信先表示領域
２７  タッチパネル
２８Ａ  スタートキー
２８Ｃ  ワンタッチダイヤルキー
２８Ｄ  全指定キー
４０  送信先分類指定部
４１  ページ選択部
４２  送信先指定部
４３  送信先指定画面生成部
４４  ジョブテーブル生成部
【図１】
2008017222.tif 000003
【図２】
2008017222.tif 000004
【図３】
2008017222.tif 000005
【図４】
2008017222.tif 000006
【図５】
2008017222.tif 000007
【図６】
2008017222.tif 000008
【図７】
2008017222.tif 000009
【図８】
2008017222.tif 000010
【図９】
2008017222.tif 000011
【図１０】
2008017222.tif 000012
【図１１】
2008017222.tif 000013
【図１２】
2008017222.tif 000014